(57)【要約】【課題】走査手段の発生する振動等による画質への影響を受けずに高精度に画像を読み取ることが可能な放射線画像読み取り装置を実現する。【解決手段】放射線画像が記録された輝尽性蛍光体プレートの記録面を励起光によって走査し、前記励起光によって輝尽性蛍光体プレートに生じる輝尽発光を読み取る放射線画像読み取り装置であって、被写体を透過した放射線源からの放射線を輝尽性蛍光体に吸収させて放射線画像情報を蓄積記録する輝尽性蛍光体プレートと、前記輝尽性蛍光体プレート上を主走査方向および副走査方向に移動しつつ励起光を照射し、輝尽性蛍光体プレートに蓄積記録されている放射線画像情報を輝尽発光せしめる励起手段と、を有する。【選択図】      図１
2004212523.tif 000002
【特許請求の範囲】
【請求項１】
放射線画像が記録された輝尽性蛍光体プレートの記録面を励起光によって走査し、前記励起光によって輝尽性蛍光体プレートに生じる輝尽発光を読み取る放射線画像読み取り装置であって、
前記輝尽性蛍光体プレート上を主走査方向および副走査方向に移動しつつ励起光を照射し、輝尽性蛍光体プレートに蓄積記録されている放射線画像情報を輝尽発光せしめる励起手段と、
主走査方向１ライン分の励起光を読み取り可能な光電変換手段と、
前記励起手段に主走査方向の走査を繰り返し実行させつつ、前記励起手段と前記光電変換手段とを副走査方向に移動させる走査手段と、を有する、
ことを特徴とする放射線画像読み取り装置。
【請求項２】
前記走査手段は、前記励起手段を往復動作させつつ主走査を繰り返し実行する際には、副走査の速度に応じて、前記励起手段の主走査の往動時と復動時との少なくとも一方について、副走査方向に対する角度を変更する、ことを特徴とする請求項１記載の放射線画像読み取り装置。
【請求項３】
前記走査手段による主走査もしくは副走査による走査位置を測定する測定手段と、
前記測定手段での測定結果を参照して、前記光電変換手段での読み取り結果から画素データを生成する制御手段と、を有する、
ことを特徴とする請求項１または請求項２のいずれかに記載の放射線画像読み取り装置。
【請求項４】
前記走査手段による主走査もしくは副走査による走査速度を測定する測定手段と、
前記測定手段での測定結果を参照して、励起手段が発生する励起光量を変更する制御を行う制御手段と、を有する、
ことを特徴とする請求項１または請求項２のいずれかに記載の放射線画像読み取り装置。
【発明の詳細な説明】
【０００１】
【発明の属する技術分野】
本発明は放射線画像情報を輝尽発光として読み取る放射線画像読み取り装置に関し、更に詳しくは、高精度な読み取りが可能な放射線画像読み取り装置に関する。
【０００２】
【従来の技術】
Ｘ線画像のような放射線画像は、病気診断用などに多く用いられている。旧来では、このような放射線画像を得るために、被写体を透過したＸ線を蛍光体層（蛍光スクリーン）に照射し、これにより可視光を生じさせ、この可視光を銀塩フィルムに照射し、この銀塩フィルムを現像することで放射線写真として利用していた。
【０００３】
しかし、近年は銀塩を塗付したフィルムを使用しないで蛍光体層から直接画像を撮り出す手法が工夫されるようになってきている。
【０００４】
すなわち、Ｘ線源から出射されたＸ線を被写体に照射し、さらに被写体を透過したＸ線を輝尽性蛍光体プレートに入射させることで、被写体の画像の潜像が輝尽性蛍光体プレートに形成される。そして、放射線画像が記録された輝尽性蛍光体プレートの記録面を、光あるいは熱によって励起することにより、蓄積している放射線エネルギーを蛍光として放射せしめ、この蛍光を検出して画像化するものが考案されている。この種の技術は、米国特許第３８５９５２７号や特開昭５５−１２１４４号公報などに記載されている。
【０００５】
これらの文献に記載された技術としては、支持体上に輝尽性蛍光体層を形成した輝尽性蛍光体プレートを使用するもので、輝尽性蛍光体プレートの蛍光体層に放射線を照射し蓄積させ潜像を形成させる。そして、蛍光体層に励起光を照射し、その潜像に応じた輝尽発光を生じさせ、この輝尽発光をフォトマルなどで光電変換して画像データを生成し、放射線画像を得るようにしている。
【０００６】
このようにして得られた放射線画像の画像データを、銀塩フィルムに出力したり、ＣＲＴディスプレイ上に表示することで、放射線画像を可視化するようにしている。また、画像データを各種記憶装置に格納しておき、必要に応じて取りだして可視化することも可能になる。
【０００７】
ところで、輝尽性蛍光体プレートを励起光で走査する場合、輝尽性蛍光体プレートに対して、励起光を一定の速度で精密に相対移動させなくてはならない。このため、従来技術においては、特開昭６２−２７６９号公報や特開平１１−３０５３６２号公報（特許文献１）に、直動ガイドによって励起光源や輝尽発光受光手段をボールネジを用いて副走査方向に案内しつつ、ポリゴンミラーやガルバノミラーなどの偏向手段を用いて励起光を主走査方向に走査する手法が提案されている。
【０００８】
図７は従来の放射線画像読み取り装置の構成の一例を示す説明図である。
【０００９】
ここで、４０は主走査方向に走査する励起光によって、輝尽性蛍光体プレート１０に蓄積記録されている放射線画像情報を輝尽発光せしめる励起手段である。この励起手段４０は、図７に示すように、レーザ光を発生するレーザダイオード（ＬＤ）４１と、レーザ光を走査するポリゴンミラーやガルバノミラーなどの主走査手段４２と、主走査手段４２で走査されたレーザ光を輝尽性蛍光体プレート１０に導く折り返しミラー４３などから構成されている。なお、ｆθレンズなどの公知の光学要素は省略した状態で示している。
【００１０】
５０はフォトマルチプライヤなどで構成され、輝尽性蛍光体プレート１０からの輝尽発光を光電変換して放射線画像情報に応じた放射線画像信号の元となる画素信号を生成する光電変換手段である。なお、輝尽性蛍光体プレート１０と光電変換手段１５０との間には、主走査方向に生じる励起光を集光するための光ファイバなどの集光体５１が配置されている。
【００１１】
この場合、主走査は、ポリゴンミラーやガルバノミラーの回転により行われるため、速度変動が生じることはあまりない。それに対し、副走査は、回転するボールネジ（雄ねじ棒２２と雌ねじ体２３）などによる移動機構によってなされるため、微妙な速度変動が生じることがある。
【００１２】
【特許文献１】
特開平１１−３０５３６２号公報（第４〜７頁、図１２）
【００１３】
【発明が解決しようとする課題】
この場合、副走査は、回転するボールネジ（雄ねじ棒と雌ねじ体）などによる移動機構によってなされるため、微妙な速度変動やそれに伴う振動が生じることがある。このような速度変動を防止するために高精度な部品（モータ、駆動機構など）を用いると、装置が高価なものになるという問題がある。
【００１４】
さらに、この副走査に生じる振動が、ポリゴンミラーやガルバノミラーの回転により行われる主走査に大きな影響を与えることがある。すなわち、主走査手段のポリゴンミラーや複数の折り返しミラー等に振動が加わると、振動の影響が拡大されて副走査方向に表れることになり、画質に大きな影響（画像ムラ等）を与えることになる。
【００１５】
本発明は以上の問題点に鑑みてなされたものであって、走査手段の発生する振動等による画質への影響を受けずに高精度に画像を読み取ることが可能な放射線画像読み取り装置を実現することを目的とする。
【００１６】
【課題を解決するための手段】
すなわち、上述した課題を解決する本発明は、以下に述べるものである。
【００１７】
（１）請求項１記載の発明は、放射線画像が記録された輝尽性蛍光体プレートの記録面を励起光によって走査し、前記励起光によって輝尽性蛍光体プレートに生じる輝尽発光を読み取る放射線画像読み取り装置であって、被写体を透過した放射線源からの放射線を輝尽性蛍光体に吸収させて放射線画像情報を蓄積記録する輝尽性蛍光体プレートと、前記輝尽性蛍光体プレート上を主走査方向および副走査方向に移動しつつ励起光を照射し、輝尽性蛍光体プレートに蓄積記録されている放射線画像情報を輝尽発光せしめる励起手段と、主走査方向１ライン分の励起光を読み取り可能な光電変換手段と、前記励起手段に主走査方向の走査を繰り返し実行させつつ、前記励起手段と前記光電変換手段とを副走査方向に移動させる走査手段と、を有する、ことを特徴とする放射線画像読み取り装置である。
【００１８】
この発明では、放射線画像が記録された輝尽性蛍光体プレートの記録面を励起光によって走査し、励起光によって輝尽性蛍光体プレートに生じる輝尽発光を読み取る際に、励起手段が、輝尽性蛍光体プレート上を主走査方向および副走査方向に移動しつつ励起光を照射し、輝尽性蛍光体プレートに蓄積記録されている放射線画像情報を輝尽発光せしめる。
【００１９】
すなわち、励起光を照射する際に励起手段が移動しつつ励起光を照射しており、ポリゴンミラーやガルバノミラーなどの偏向手段で励起光を走査することはしていないため、走査の際に発生する振動が各種ミラー等で増幅されてしまう事態を回避できる。このため、走査手段の発生する振動等による画質への影響を受けずに高精度に画像を読み取ることが可能になる。
【００２０】
また、この発明では、走査手段は、励起手段に主走査方向の走査を繰り返し実行させつつ、副走査方向に移動させる。また、走査手段は、光電変換手段を副走査方向に移動させる。これにより、励起手段が輝尽性蛍光体プレート上を主走査方向および副走査方向に移動しつつ励起光を照射する。そして、光電変換手段は、副走査方向に移動しつつ、主走査方向１ライン分の励起光の読み取りを繰り返す。
【００２１】
すなわち、励起光を照射する際に、ポリゴンミラーやガルバノミラーなどの偏向手段で励起光を走査することなく、励起手段が主走査方向および副走査方向に移動しつつ励起光を照射しているため、走査の際に発生する振動が各種ミラー等で増幅されてしまう事態を回避できる。このため、走査手段の発生する振動等による画質への影響を受けずに高精度に画像を読み取ることが可能になる。
【００２２】
（２）請求項２記載の発明は、前記走査手段は、前記励起手段を往復動作させつつ主走査を繰り返し実行する際には、副走査の速度に応じて、前記励起手段の主走査の往動時と復動時との少なくとも一方について、副走査方向に対する角度を変更する、ことを特徴とする請求項２記載の放射線画像読み取り装置である。
【００２３】
この発明は、上記（１）において、走査手段が、励起手段を往復動作させつつ主走査を繰り返し実行する際には、副走査の速度に応じて、励起手段の主走査の往動時と復動時との少なくとも一方について、副走査方向に対する角度を変更している。これにより、励起手段の往動時と復動時とで主走査が等間隔かつ同じ傾きになる。このため、高精度に画像を読み取ることが可能になる。
【００２４】
（３）請求項３記載の発明は、前記走査手段による主走査もしくは副走査による走査位置を測定する測定手段と、前記測定手段での測定結果を参照して、前記光電変換手段での読み取り結果から画素データを生成する制御手段と、を備えたことを特徴とする請求項１または請求項２のいずれかに記載の放射線画像読み取り装置である。
【００２５】
この発明は、上記（１）または（２）において、測定手段での走査位置の測定結果を参照して、制御手段が、光電変換手段での読み取り結果から画素データを生成するようにしている。このため、走査手段で走査ムラなどが万一発生したとしても、その走査ムラの影響を排除して高精度に画像を読み取ることが可能になる。
【００２６】
（４）請求項４記載の発明は、前記走査手段による主走査もしくは副走査による走査速度を測定する測定手段と、前記測定手段での測定結果を参照して、励起手段が発生する励起光量を変更する制御を行う制御手段と、を備えたことを特徴とする請求項１または請求項２のいずれかに記載の放射線画像読み取り装置である。
【００２７】
この発明は、上記（１）または（２）において、測定手段での走査速度の測定結果を参照して、制御手段が、励起手段からの励起光量を変更するようにしている。このため、走査手段で走査速度ムラなどが万一発生したとしても、その走査ムラの影響を排除して高精度に画像を読み取ることが可能になる。
【００２８】
【発明の実施の形態】
以下、図面を参照して本発明の実施の形態について詳細に説明する。なお、本発明は、以下に示す実施の形態に記載された具体例などの内容や数値に限定されるものではない。
【００２９】
〈第１の実施の形態例の放射線画像読み取り装置〉
図１は本願発明の第１の実施の形態例である放射線画像読み取り装置１００の機能ブロックを説明するブロック図である。また、図２は本実施の形態例の放射線画像読み取り装置１００の主要部分の機械的構成を示す斜視図、図３は本実施の形態例の放射線画像読み取り装置１００の主要部分の機械的構成を示す側面図である。
【００３０】
なお、図２および図３では、便宜上、主走査方向をｙ方向、副走査方向をｘ方向、主走査方向と副走査方向との双方に直交する方向をｚ方向として説明を行うことにする。
【００３１】
また、図２および図３において、装置全体を遮光するための遮光部材などは省略して、内部の様子を示している。
【００３２】
この放射線画像読み取り装置１００において、１０１は放射線画像読み取り装置１００全体を統括的に制御する制御手段、１１０は被写体を透過した放射線源からの放射線を輝尽性蛍光体に吸収させて放射線画像情報を蓄積記録する輝尽性蛍光体プレートである。
【００３３】
なお、放射線画像情報を蓄積記録する輝尽性蛍光体シートは単体では剛性がないため、取り扱いが難しい。そのため、単体で取り扱うことは少ない。そのため、金属板や樹脂板などの支持部材や、収納するためのカセッテのバック板などに接着するなどして、保持した状態で扱うことが多い。このように、何らかの部材で保持された輝尽性蛍光体シートを、この明細書内では、輝尽性蛍光体プレートと呼ぶことにする。
【００３４】
１２０は励起手段１４０に主走査方向（ｙ方向）の走査を繰り返し実行させる主走査手段である。この主走査手段１２０は、主走査を行うためのガイド手段としての主走査直動ガイドレール１２１と、この主走査直動ガイドレール１２１上を移動する主走査直動ガイド１２２とから構成されている。そして、主走査直動ガイド１２２上に後述する励起光源１４１が搭載されている。
【００３５】
１３０は励起手段１４０と光電変換手段１５０とを副走査方向（ｘ方向）に移動させる副走査手段である。この副走査手段１３０は、副走査を行うためのガイド手段としての副走査直動ガイドレール１３１と、この副走査直動ガイドレール１３１上を移動する副走査直動ガイド１３２とから構成されている。そして、副走査直動ガイド１３２上に、後述する光電変換手段１５０と前述した主走査手段１２０上の励起手段１４０とが搭載されている。
【００３６】
なお、以上の主走査手段１２０と副走査手段１３０とで、請求項における走査手段を構成している。また、この主走査手段１２０と副走査手段１３０とは、リニアモータや、回転モータと駆動ベルトの組み合わせなどの各種の機構により、等速に移動しつつ走査が行えるように構成されている。
【００３７】
すなわち、走査手段（主走査手段１２０と副走査手段１３０）が、励起手段１４０に主走査方向の走査を繰り返し実行させつつ、励起手段１４０と光電変換手段１５０とを副走査方向に移動させる。
【００３８】
１４０は輝尽性蛍光体プレート１１０に対して励起光を照射する励起手段であり、主走査手段１２０によって主走査方向に移動しつつ、ｚ方向に励起光の照射を行うことを特徴としている。また、この主走査方向の移動を繰り返しつつ、副走査手段１３０によって副走査方向にも移動させられている。
【００３９】
この励起手段１４０は、レーザダイオードなどの励起光源１４１と、結像レンズ１４２とが、前述した主走査直動ガイド１２２上に配置されており、ポリゴンミラーやガルバノミラーなどの偏向手段や、折り返しミラーなどは備えていない。
【００４０】
１５０はフォトマルチプライヤなどの光電変換器１５４で構成され、輝尽性蛍光体プレート１１０からの輝尽発光を光電変換して放射線画像情報に応じた放射線画像信号の元となる画素データを生成する光電変換手段である。
【００４１】
なお、輝尽性蛍光体プレート１１０と光電変換器１５４との間には、主走査方向に生じる励起光を集光するための光ファイバなどの集光体１５２が配置され、その集光体１５２で集められた励起光は集光管１５３で光電変換器１５４に集められる。
【００４２】
１７０は画像生成手段であり、光電変換手段１５０で得られた画素データにより放射線画像信号を生成する画像生成手段である。
【００４３】
以下、本発明の実施の形態例である放射線画像読み取り装置１００の動作を説明する。
【００４４】
図示されない操作部などから読み取りの指示が制御手段１０１に与えられると、制御手段１０１は各部に放射線画像読み取りの命令を与える。
【００４５】
読み取りの命令を受けた主走査手段１２０では、図示されないリニアモータや、回転モータと駆動ベルトの組み合わせなどの各種の機構により、主走査直動ガイドレール１２１上を主走査直動ガイド１２２が等速に移動しつつ主走査を行う。
【００４６】
また、読み取りの命令を受けた副走査手段１３０では、上述した主走査を繰り返している間に、所定のピッチで主走査が行えるように、図示されないリニアモータや、回転モータと駆動ベルトの組み合わせなどの各種の機構により、副走査直動ガイドレール１３１上を副走査直動ガイド１３２が等速に移動しつつ副走査を行う。
【００４７】
このような主走査と副走査とを並行して行うことで、図４（ａ）の一点鎖線ような励起光の照射が、輝尽性蛍光体プレート１１０上になされる。このような励起光の主走査と副走査とを繰り返すことで、光電変換手段１５０の集光体１５２の読み取り範囲は図４（ａ）破線のようになる。これにより、励起光に応じて輝尽性蛍光体プレートから発生する輝尽発光を読み取ることができる。
【００４８】
なお、実際には各主走査の間隔は密になっているが、ここでは説明のために間隔を広げた状態で示している。
【００４９】
そして、図４（ａ）一点鎖線のような励起光に応じて発生した輝尽発光は、
図４（ａ）破線の範囲で集光体１５２で集光される。集光体１５２で集光された輝尽発光は、集光管１５３により光電変換器１５４に導かれる。そして、輝尽性蛍光体プレート１１０からの輝尽発光は、光電変換器１５４で光電変換されて、放射線画像情報に応じた放射線画像信号の元となる画素データが生成される。さらに、この画素データから画像生成手段１７０が放射線画像信号を生成する。
【００５０】
すなわち、この実施の形態例によれば、ポリゴンミラーやガルバノミラーなどの偏向手段で励起光を走査することはしておらず、励起手段１４０が主走査方向に移動しつつ励起光を照射しているため、走査の際に発生する振動が各種ミラー等で増幅されてしまう事態を回避できる。このため、走査手段の発生する振動等による画質への影響を受けずに高精度に画像を読み取ることが可能になる。
【００５１】
〈第２の実施の形態例の放射線画像読み取り装置〉
図５は本願発明の放射線画像読み取り装置の第２の実施の形態例と第３の実施の形態例の構成を示す構成図である。
【００５２】
ここで、第２の実施の形態例の放射線画像読み取り装置１００として、第１の実施の形態例と同一部分には同一番号を付し、重複した説明を省略する。
【００５３】
この第２の実施の形態例の放射線画像読み取り装置１００では、主走査手段１４０による主走査もしくは副走査手段１３０による副走査による走査位置を測定する測定手段を設ける。この測定手段としては、主走査直動ガイドレール１２１と主走査直動ガイド１２２とに、リニアエンコーダなどを設ければよい。
【００５４】
そして、制御手段１０１が、測定手段での測定結果を参照して、光電変換手段１５０での読み取り結果から画素データを生成する動作を制御する。この場合、リニアエンコーダなどからの出力パルスを、画素データ生成の際のトリガとすればよい。
【００５５】
すなわち、走査位置の変動が生じた場合には、その変動をうち消すようにして画素データを生成し、最終的に走査位置の影響のない放射線画像信号を生成するようにしている。このため、走査手段で走査ムラなどが万一発生したとしても、その走査ムラの影響を排除して高精度に画像を読み取ることが可能になる。
【００５６】
〈第３の実施の形態例の放射線画像読み取り装置〉
ここで、第３の実施の形態例の放射線画像読み取り装置１００として、第１の実施の形態例や第２の実施の形態例と同一部分には同一番号を付し、重複した説明を省略する。
【００５７】
この第３の実施の形態例の放射線画像読み取り装置１００では、主走査手段１４０による主走査もしくは副走査手段１３０による副走査による走査速度を測定する測定手段を設ける。この測定手段としては、主走査直動ガイドレール１２１と主走査直動ガイド１２２とに、リニアエンコーダなどを設ければよい。
【００５８】
そして、制御手段１０１が、測定手段での測定結果を参照して、励起光源１４１の発光量を制御する。この場合、リニアエンコーダなどからの出力パルスの周波数を参照すればよい。
【００５９】
すなわち、走査速度に変動が生じた場合には、その変動による単位面積あたりの受光量の変動をうち消すようにして励起光源１４１の制御データを生成し、最終的に走査速度の変動の影響のない励起光を生成するようにしている。このため、励起光に応じて発生する輝尽発光についても、走査速度の変動による影響を排除することができ、高精度に画像を読み取ることが可能になる。
【００６０】
〈第４の実施の形態例の放射線画像読み取り装置〉
図６は本願発明の第４の実施の形態例の放射線画像読み取り装置１００の主要部の構成を示す構成図である。以上の実施の形態例において主走査直動ガイド１２２が往復動作で励起光の照射を行うと、副走査の影響により、図４（ｂ）のような主走査になる。すなわち、各主走査ラインが等間隔とはならない不具合が発生する。
【００６１】
そこで、図６のように、励起手段を往復動作させつつ主走査を繰り返し実行する際には、副走査の速度に応じて主走査直動ガイドレール１２１を移動させ、励起手段の主走査の往動時と復動時との少なくとも一方について、副走査方向に対する角度を変更するようにする。この場合、往復動作時調整手段１２３が制御手段１０１の制御により、副走査の速度に応じて、主走査直動ガイドレール１２１の角度を変更する。
【００６２】
すなわち、往復動作時調整手段１２３の調整動作により、往動時には主走査直動ガイドレール１２１は図６実線のように配置されており、主走査直動ガイド１２２は▲１▼の主走査を実行する。ここで、往動から復動に切り替わるタイミングで、往復動作時調整手段１２３が主走査直動ガイドレール１２１を▲２▼の方向に角度変更する。そして、往復動作時調整手段１２３の調整動作により、復動時には主走査直動ガイドレール１２１は図６破線のように配置されており、主走査直動ガイド１２２は▲３▼の主走査を実行する。このような動作により、図４（ｂ）のような不均一な主走査となることを防止することができる。
【００６３】
なお、この図６では主走査直動ガイドレール１２１の角度を変更するようにしていたが、往動と復動とで別なガイドを設けておいてもよい。また、励起手段１２０が搭載されているベース自体の向きが変わるような構成であってもよい。
【００６４】
これにより、励起手段１２０の往動時と復動時とで主走査が等間隔かつ同じ傾きになる。このため、高精度に画像を読み取ることが可能になる。
【００６５】
【発明の効果】
以上実施の形態例により説明したように、以下のような効果が得られる。
【００６６】
（１）請求項１記載の発明では、放射線画像が記録された輝尽性蛍光体プレートの記録面を励起光によって走査し、励起光によって輝尽性蛍光体プレートに生じる輝尽発光を読み取る際に、励起手段が、輝尽性蛍光体プレート上を主走査方向および副走査方向に移動しつつ励起光を照射し、輝尽性蛍光体プレートに蓄積記録されている放射線画像情報を輝尽発光せしめる。すなわち、励起光を照射する際に励起手段が移動しつつ励起光を照射しており、ポリゴンミラーやガルバノミラーなどの偏向手段で励起光を走査することはしていないため、走査の際に発生する振動が各種ミラー等で増幅されてしまう事態を回避できる。このため、走査手段の発生する振動等による画質への影響を受けずに高精度に画像を読み取ることが可能になる。
【００６７】
また、走査手段は、励起手段に主走査方向の走査を繰り返し実行させつつ、副走査方向に移動させる。また、走査手段は、光電変換手段を副走査方向に移動させる。これにより、励起手段が輝尽性蛍光体プレート上を主走査方向および副走査方向に移動しつつ励起光を照射する。そして、光電変換手段は、副走査方向に移動しつつ、主走査方向１ライン分の励起光の読み取りを繰り返す。すなわち、励起光を照射する際に、ポリゴンミラーやガルバノミラーなどの偏向手段で励起光を走査することなく、励起手段が主走査方向および副走査方向に移動しつつ励起光を照射しているため、走査の際に発生する振動が各種ミラー等で増幅されてしまう事態を回避できる。このため、走査手段の発生する振動等による画質への影響を受けずに高精度に画像を読み取ることが可能になる。
【００６８】
（２）請求項２記載の発明では、上記（１）において、走査手段が、励起手段を往復動作させつつ主走査を繰り返し実行する際には、副走査の速度に応じて、励起手段の主走査の往動時と復動時との少なくとも一方について、副走査方向に対する角度を変更している。これにより、励起手段の往動時と復動時とで主走査が等間隔かつ同じ傾きになる。このため、高精度に画像を読み取ることが可能になる。
【００６９】
（３）請求項３記載の発明では、上記（１）または（２）において、測定手段での走査位置の測定結果を参照して、制御手段が、光電変換手段での読み取り結果から画素データを生成するようにしている。このため、走査手段で走査ムラなどが万一発生したとしても、その走査ムラの影響を排除して高精度に画像を読み取ることが可能になる。
【００７０】
（４）請求項４記載の発明では、上記（１）または（２）において、測定手段での走査速度の測定結果を参照して、制御手段が、励起手段からの励起光量を変更するようにしている。このため、走査手段で走査速度ムラなどが万一発生したとしても、その走査ムラの影響を排除して高精度に画像を読み取ることが可能になる。
【図面の簡単な説明】
【図１】本発明の第１の実施の形態の放射線画像読み取り装置の電気的構成を示すブロック図である。
【図２】本発明の第１の実施の形態例である放射線画像読み取り装置の主要部分の機械的構成を示す斜視図である。
【図３】本発明の第１の実施の形態における副走査速度の変動の様子を示す説明図である。
【図４】本発明の第１の実施の形態における副走査速度の変動の様子とその解決のための様子を示す説明図である。
【図５】本発明の第二の実施の形態の放射線画像読み取り装置の電気的構成を示すブロック図である。
【図６】本発明の第二の実施の形態における副走査速度の変動の様子を示す説明図である。
【図７】従来の放射線画像読み取り装置の様子を示す説明図である。
【符号の説明】
１００  放射線画像読み取り装置
１０１  制御手段
１１０  輝尽性蛍光体プレート
１２０  副走査手段
１３０  測定手段
１４０  励起手段
１５０  光電変換手段
１７０  画像生成手段
【図１】
2004212523.tif 000003
【図２】
2004212523.tif 000004
【図３】
2004212523.tif 000005
【図４】
2004212523.tif 000006
【図５】
2004212523.tif 000007
【図６】
2004212523.tif 000008
【図７】
2004212523.tif 000009